(57)【要約】      （修正有）【課題】眼鏡の曇りを防ぎつつ呼気をスムーズに下方から排出することで呼吸のし易いマスクを提供する。【解決手段】マスク１は、着用時にユーザの少なくとも口及び鼻孔を覆う本体部１０と、本体部の左右に設けられており、着用時にユーザの耳に掛けられる二つの耳掛け部２０と、本体部の上端部において横幅方向に延設されており、可塑性を有する上部成形プレートと、本体部の下端部において横幅方向に延設されており、可塑性を有する下部成形プレートとを備えており、下部成形プレート及び上部成形プレートが、着用時において下部成形プレートの耳側端部１３Ｅ、が上部成形プレートの耳側端部１１Ｅよりもユーザの耳に近い位置となるように配設されている。【選択図】図１
0003233245.tif 000002
【実用新案登録請求の範囲】
【請求項１】
着用時にユーザの少なくとも口及び鼻孔を覆う本体部と、
前記本体部の左右に設けられており、着用時にユーザの耳に掛けられる二つの耳掛け部と、
前記本体部の上端部において横幅方向に延設されており、可塑性を有する上部成形プレートと、
前記本体部の下端部において横幅方向に延設されており、可塑性を有する下部成形プレートと、
を備え、
前記下部成形プレート及び前記上部成形プレートは、着用時において前記下部成形プレートの耳側端部が前記上部成形プレートの耳側端部よりもユーザの耳に近い位置となるように配設されている、
マスク。
【請求項２】
前記下部成形プレート及び前記上部成形プレートは、着用時において、前記上部成形プレートの耳側端部がユーザの左右頬骨の左右隆起部又は該左右隆起部よりも鼻側に位置し、前記下部成形プレートの耳側端部がユーザの耳下腺咬筋部に位置するように配設されている、
請求項１に記載のマスク。
【請求項３】
前記上部成形プレートは、前記本体部の前記上端部の中央部を跨いで前記横幅方向に延びる一つのプレート体であり、
前記下部成形プレートは、前記本体部の前記下端部における中央部を除いた左右において前記横幅方向にそれぞれ延びる二つのプレート体である、
請求項１又は２に記載のマスク。
【請求項４】
前記上部成形プレートは、前記下部成形プレートの前記二つのプレート体を合わせた長さを有する、
請求項３に記載のマスク。
【請求項５】
前記二つの耳掛け部は、前記本体部の左端部から延びる紐状の左耳紐部及び前記本体部の右端部から延びる紐状の右耳紐部から構成されており、
前記本体部の下縁の長さは、前記本体部の上縁の長さよりも所定長分長くなっており、
前記所定長は、４ｃｍ以上８ｃｍ以下である、
請求項１から４のいずれか一項に記載のマスク。
【請求項６】
前記上部成形プレートの前記耳側端部は前記本体部の左右端部から前記横幅方向に離間した位置に配置されており、
前記下部成形プレートの前記耳側端部は前記本体部の左右端部に配置されている、
請求項５に記載のマスク。
【請求項７】
前記上部成形プレートは、前記本体部の上縁に沿って延設されており、
前記下部成形プレートは、前記本体部の下縁に沿って延設されており、
前記下部成形プレートの本体部の下縁からの離間距離は、上部成形プレートの本体部の上縁からの離間距離よりも大きい、
請求項６に記載のマスク。
【請求項８】
前記右耳紐部及び前記左耳紐部の一端部は、前記本体部の左右縁部における前記下部成形プレートの耳側端部が存在する位置又は該位置から下方の所定位置までの範囲内に位置しており、
前記所定位置は、前記下部成形プレートの耳側端部が存在する位置のほうが前記本体部の下方の左右角部よりも近い位置である、
請求項６又は７に記載のマスク。
【請求項９】
前記本体部の内側には、前記本体部の上縁と前記上部成形プレートとを離間させつつ前記上部成形プレートを収容する袋状のプレート収容部が設けられている、
請求項１から８のいずれか一項に記載のマスク。
【考案の詳細な説明】
【技術分野】
【０００１】
本考案は、衛生用マスクに関する。
【背景技術】
【０００２】
感染症や花粉症、粉じんの対策等を目的として様々な形態のマスクやマウスシールドが利用されている。マスクやマウスシールドは、ユーザの口及び鼻を覆うことで飛沫感染や空気感染を防ぐ効果があることが知られている。一方で、眼鏡利用者にとってマスク着用時の眼鏡の曇りはやっかいな悩みである。
そこで、眼鏡の曇りを防ぐために、マスクの上下内部に突起物を縫い込んで呼吸の流れを制御するマスクが提案されている（下記特許文献１）。
【先行技術文献】
【特許文献】
【０００３】
【特許文献１】実用新案登録第３２２７６６６号
【考案の概要】
【考案が解決しようとする課題】
【０００４】
しかしながら、上述のマスクは、上方の突起物が鼻と頬の隙間を埋めるのには不十分であり、眼鏡を曇らせないことに関して課題を残す。
本考案は、眼鏡の曇りを防ぎつつ呼気をスムーズに下方から排出することで呼吸のし易いマスクを提供する。
【課題を解決するための手段】
【０００５】
本考案は、上述した課題を解決するために、以下の構成を採用する。
本考案に係るマスクは、着用時にユーザの少なくとも口及び鼻孔を覆う本体部と、本体部の左右に設けられており、着用時にユーザの耳に掛けられる二つの耳掛け部と、本体部の上端部において横幅方向に延設されており、可塑性を有する上部成形プレートと、本体部の下端部において横幅方向に延設されており、可塑性を有する下部成形プレートとを備えており、下部成形プレート及び上部成形プレートが、着用時において下部成形プレートの耳側端部が上部成形プレートの耳側端部よりもユーザの耳に近い位置となるように配設されている。
【考案の効果】
【０００６】
本考案によれば、眼鏡の曇りを防ぎつつ呼気をスムーズに下方から排出することで呼吸のし易いマスクを提供することができる。
【図面の簡単な説明】
【０００７】
【図１】本実施形態に係るマスクの着用時の状態を示す図である。
【図２】本実施形態に係るマスクを外側から目視した図である。
【図３】本実施形態に係るマスクを内側から目視した図である。
【図４】本実施形態に係るマスクの上部の部分拡大図である。
【図５】本実施形態に係るマスクの折り畳み状態を示す図である。
【図６】変形例に係るマスクの開放状態の左端を内側から目視した部分拡大図である。
【考案を実施するための形態】
【０００８】
以下、本考案の実施の形態（以降、本実施形態と表記する）について説明する。なお、以下に挙げる実施形態は例示であり、本考案は以下の実施形態の構成に限定されない。
【０００９】
本実施形態に係るマスク１について図１、図２及び図３を用いて説明する。
図１は、本実施形態に係るマスク１の着用時の状態を示す図であり、図２は、本実施形態に係るマスク１を外側から目視した図であり、図３は、本実施形態に係るマスク１を内側から目視した図である。
本明細書では、図１に示される着用時の状態に基づいて、各方向を指し示すこととする。具体的には、着用時にユーザの顔に対向する側を「内側」と表記し、その反対側を「外側」と表記し、着用時のユーザの右手側を「右」と表記し、着用時のユーザの左手側を「左」と表記し、着用時のユーザの頭側を「上」と表記し、着用時のユーザの足側を「下」と表記する。
【００１０】
マスク１は、各図に示されるように、本体部１０、二つの耳掛け部２０、上部成形プレート１１、及び下部成形プレート１３を備えている。
本体部１０は、着用時にユーザの少なくとも口及び鼻孔を覆うことができる形状を有している。本体部１０は、柔軟性及び通気性を有する多層構造シート材で形成される。
本実施形態では、本体部１０は、少なくとも内布と外布とを縫い合わせて形成されており、防菌性や防塵性を備えている。
但し、本実施形態では、防菌性、防塵性等、必要な性能を実現することができれば、本体部１０を形成する多層構造シート材の具体的構造や製法、素材は何ら制限されない。例えば、本体部１０の多層構造シート材の素材としては、合成樹脂、フェルト、布、化学繊維、不織布、紙等が挙げられる。
【００１１】
二つの耳掛け部２０は、本体部１０の左右にそれぞれ設けられており、着用時にユーザの耳に掛けられる。
本実施形態では、これら耳掛け部２０は、各図に示されるように、本体部１０の左端部に縫い付けられた紐状の左耳紐部２１Ｌ及び本体部１０の右端部に縫い付けられた紐状の右耳紐部２１Ｒから構成されている。耳掛け部２０の具体的構成については後述する。
但し、耳掛け部２０は、各図に示される紐状の左耳紐部２１Ｌ及び右耳紐部２１Ｒではなく、本体部１０から一連に連なっているシート材にユーザの耳を挿入するために開けられた二つの穴として実現されてもよい。また、左耳紐部２１Ｌ及び右耳紐部２１Ｒの上方は、本体部１０から一連に連なっており、左耳紐部２１Ｌ及び右耳紐部２１Ｒの下方が本体部１０に縫い付けられるようにしてもよい。
【００１２】
上部成形プレート１１は、可塑性を有し、本体部１０の上端部において横幅方向に延設されており、下部成形プレート１３は、可塑性を有し、本体部１０の下端部において横幅方向に延設されている。
上部成形プレート１１及び下部成形プレート１３は、ユーザが顔の形状に合わせて変形させることができかつ変形後の形状を保持し得る性質を持つ素材で形成される。この素材には、例えば、鉄やアルミ等の金属やプラスチック等が利用可能であり、上部成形プレート１１及び下部成形プレート１３の具体的な素材は何ら限定されない。
上記「横幅方向」とは、本体部１０の左右方向を示す。また、本体部１０の「上端部」とは、本体部１０の上縁１０ｕ及びその周辺を含む領域を指し示し、本体部１０の「下端部」とは、本体部１０の下縁１０ｄ及びその周辺を含む領域を指し示す。
上部成形プレート１１は、本体部１０の上縁１０ｕに概ね沿った形で配設されており、下部成形プレート１３は、本体部１０の下縁１０ｄに概ね沿った形で配設されている。
【００１３】
本実施形態では、図１に示されるように、上部成形プレート１１及び下部成形プレート１３は、着用時において下部成形プレート１３の耳側端部１３Ｅが上部成形プレート１１の耳側端部１１Ｅよりもユーザの耳に近い位置となるように配設されている。具体的には、上部成形プレート１１及び下部成形プレート１３は、着用時において、上部成形プレート１１の耳側端部１１Ｅがユーザの左右頬骨の左右隆起部又はその左右隆起部よりも鼻寄りに位置し、下部成形プレート１３の耳側端部１３Ｅがユーザの耳下腺咬筋部に位置するように配設されている。
ここでユーザの「左右頬骨の左右隆起部」とは、ユーザの目尻の下方周辺における頬骨の左右に出っ張っている部分を指し示す。
これにより、上部成形プレート１１がユーザの鼻から頬（左右頬骨の左右隆起部）にかけての形状にフィットするように形状保持することで呼気が眼鏡の方向に抜けるのを防ぎ、眼鏡の曇りを防ぐことができる。更に、下部成形プレート１３は、耳側端部１３Ｅでユーザの耳下腺咬筋部に押さえつけられた状態でそこからフェイスラインに沿って形状保持することになるため、本体部１０の下縁１０ｄの中央部とユーザの下顎先との間に隙間が形成されて、呼気が下方から抜け易くすることができる。このような呼気の排気口を下方に設けることで、呼気が眼鏡の方向に抜けるのを防いで、眼鏡の曇りを確実に防ぐことができるようになる。加えて、呼気が下方からスムーズに排出されることで、呼吸のし易いマスクを実現することができる。
【００１４】
このような作用効果をより確実に得るために、本実施形態では、更に次のような構成が採用されている。
上部成形プレート１１は、本体部１０の上端部の中央部を跨いで横幅方向に延びる一つのプレート体であるのに対して、下部成形プレート１３は、本体部１０の下端部における中央部を除いた左右において横幅方向にそれぞれ延びる二つのプレート体１３ｂである。このため、本実施形態において、上部成形プレート１１の耳側端部１１Ｅは、上部成形プレート１１の左右の端部に該当し、下部成形プレート１３の耳側端部１３Ｅは、右側のプレート体１３ｂの右端部及び左側のプレート体１３ｂの左端部に該当する。
このような構成により、上部成形プレート１１がユーザの鼻から頬（左右頬骨の左右隆起部）にかけての形状に変形されかつ形状保持されることで、眼鏡方向への呼気の抜けを確実に防ぎながら、下部成形プレート１３がユーザの左右の耳下腺咬筋部からフェイスラインに沿って前方に延びることで、下部成形プレート１３が設けられていない本体部１０の下縁１０ｄの中央部に角度が付き、そこに呼気の排気口を形成することができ、下方への呼気の抜けをスムーズにすることができる。
加えて、このような構成によれば、後述するようにマスク１全体を折り畳み可能として、携帯性を向上させることができる。
【００１５】
上述したとおり、上部成形プレート１１は、眼鏡方向への呼気の抜けを防ぐべく、ユーザの鼻から頬にかけての形状にしっかりとフィットするよう変形及び形状保持されることが望まれる一方で、下部成形プレート１３は、前方に延びて本体部１０の下方に隙間（呼気排出口）を形成することが望まれる。このため、上部成形プレート１１は、下部成形プレート１３よりも変形後の形状保持力が強い金属材料又はプラスチック材料で形成されてもよい。下部成形プレート１３は、上部成形プレート１１と同様の金属材料又はプラスチック材料で形成されてもよいし、上部成形プレート１１よりも変形後の形状保持力が弱い材料で形成されてもよい。
【００１６】
また、本体部１０には、中央タック部１８が本体部１０の上縁１０ｕの中央部から縦方向に縦３分の１くらいの箇所まで延設されている。
この中央タック部１８によって、柔軟性を有する本体部１０の上方をユーザの鼻周りの形状に合うよう立体化させることができる。
一方で、本体部１０の下方にはタック部が設けられていない。これは、下部成形プレート１３が右側及び左側の二つのプレート体１３ｂで構成されており、各プレート体１３ｂの耳側端部１１Ｅではない側の端部で本体部１０が折れ曲がるため、タック部がなくとも、本体部１０の下縁１０ｄの中央部周辺をユーザの下顎先の形状に沿って湾曲させることができるからである。結果、呼気を下方へスムーズに排出させることができる。
【００１７】
本体部１０の下縁１０ｄの長さ（図２のＬｄ）は、本体部１０の上縁１０ｕの長さ（図２のＬｕ）よりも所定長分長くなっている。この所定長は、４ｃｍ以上８ｃｍ以下であることが好ましく、６ｃｍ以上７ｃｍ以下であることがより好ましい。
これにより、上部成形プレート１１及び下部成形プレート１３を共に本体部１０の左右端部まで設ける構成としたとしても、着用時において下部成形プレート１３の耳側端部１３Ｅを上部成形プレート１１の耳側端部１１Ｅよりもユーザの耳に近くに位置させることができ、上述のような作用効果を得ることができる。
但し、本実施形態では、図１及び図３に示されるように、上部成形プレート１１の耳側端部１１Ｅは本体部１０の左右端部よりも内側に配置されており、下部成形プレート１３の耳側端部１３Ｅは本体部１０の左右端部に配置されている。即ち、本実施形態では、本体部１０は、上縁１０ｕが上部成形プレート１１よりも長くなるように形成されており、本体部１０の上縁１０ｕがより広くユーザの顔を覆うように構成されている。
【００１８】
ところが、当該所定長を４ｃｍ未満となるように下縁１０ｄの長さを短くした場合には、下部成形プレート１３の耳側端部１３Ｅがユーザの口元に近づくことで下方への呼気の排気口が形成され難く或いは小さくなってしまう。逆に、当該所定長を４ｃｍ未満となるように上縁１０ｕの長さを長くした場合には、本体部１０の上縁１０ｕにより覆われる顔領域が広くなるため装着感が低下してしまう。また、当該所定長を８ｃｍよりも大きくするべく上縁１０ｕの長さを短くした場合には、本体部１０の上縁１０ｕの左右端部がユーザの頬（左右頬骨の左右隆起部）周辺となるため、着用時のマスク１の形状が不格好になってしまう。逆に、当該所定長を８ｃｍよりも大きくするべく下縁１０ｄの長さをより長くすると、下縁１０ｄの左右端部がユーザの耳に当接し、装着感が低下することになる。
【００１９】
本体部１０の大きさは、男性用、女性用、子供用等、ユーザの顔の大きさに応じて様々なサイズで提供される。Ｌサイズ、Ｍサイズ及びＳサイズという３種類のサイズで提供される場合、本体部１０の上縁１０ｕの長さ及び下縁１０ｄの長さは、例えば、次のようなサイズとされてもよい。
Ｌサイズ：上縁１０ｕの長さ＝２０ｃｍ、下縁１０ｄの長さ＝２７ｃｍ
Ｍサイズ：上縁１０ｕの長さ＝１８ｃｍ、下縁１０ｄの長さ＝２４ｃｍ
Ｓサイズ：上縁１０ｕの長さ＝１６ｃｍ、下縁１０ｄの長さ＝２１ｃｍ
この例においても、各サイズにおいて、本体部１０の下縁１０ｄの長さは、本体部１０の上縁１０ｕの長さよりも４ｃｍ以上８ｃｍ以下の範囲で長くなっている。
また、本体部における上縁１０ｕの長さに対する下縁１０ｄの長さの割合は、１．３０以上１．３５以下の範囲であると表記することもできる。
【００２０】
上部成形プレート１１の長さは、二つの下部成形プレート１３を合わせた長さとなるようにすることが好ましい。このようにすれば、上部成形プレート１１及び下部成形プレート１３を同じ素材とし、相互に同じ形状の二つのプレート材の一方を上部成形プレート１１として、残りを二つに切断して下部成形プレート１３とすることができ、製造コストを低減させることができる。
更に、上述した本体部１０の上縁１０ｕ及び下縁１０ｄの長さのバランスにより、一つの下部成形プレート１３の長さを上部成形プレート１１の半分とすることで、下部成形プレート１３の二つのプレート体１３ｂの間隔がユーザの顎の幅以上となり、本体部１０の下縁１０ｄの中央部周辺をユーザの下顎先の形状に沿って湾曲させ安くすることができる。これにより、本体部１０の下方から呼気をスムーズに排気することが可能となる。
【００２１】
また、上部成形プレート１１は、本体部１０の上縁１０ｕの近傍に上縁１０ｕに沿って延設されている一方で、下部成形プレート１３は、本体部１０の下縁１０ｄから離間した位置に下縁１０ｄに沿って延設されている。言い換えれば、下部成形プレート１３の本体部１０の下縁１０ｄからの離間距離は、上部成形プレート１１の本体部１０の上縁１０ｕからの離間距離よりも大きくなっている。これにより、本体部１０の下縁１０ｄに、下部成形プレート１３が設けられていない余剰領域を設けることができる。この余剰領域がない場合には、着用時において本体部１０の下縁１０ｄがユーザの下顎先から耳にかけて鋭角に延びることになるため、マスク１着用時の容姿がつり上がった印象（キツネ顔）となり違和感を与えてしまうところ、この余剰領域を設けることで、マスク１着用時の容姿が丸みを帯びてその違和感を抑えることができる。
【００２２】
また、本実施形態では、右耳紐部２１Ｒ及び左耳紐部２１Ｌの一端部（下方端部）は、本体部１０の左右縁部における下部成形プレート１３の耳側端部１３Ｅが存在する位置に設けられている。これにより、右耳紐部２１Ｒ及び左耳紐部２１Ｌがユーザの耳に掛けられた状態において、下部成形プレート１３の耳側端部１３Ｅをユーザの耳下腺咬筋部にしっかりと押さえ付けることができ、下方への呼気の排気口を形成し易くすることができる。
このような作用効果を得るためには、右耳紐部２１Ｒ及び左耳紐部２１Ｌの一端部（下方端部）は、本体部１０の左右縁部における下部成形プレート１３の耳側端部１３Ｅが存在する位置又はその位置から下方の所定位置までの範囲内に設けられていればよい。この所定位置とは、下部成形プレート１３の耳側端部１３Ｅが存在する位置のほうが本体部１０の下方の左右角部よりも近い位置である。
一方で、右耳紐部２１Ｒ及び左耳紐部２１Ｌの他端部（上方端部）は、本体部１０の左右縁部の上端部（上方の左右角部）に設けられている。
【００２３】
図４は、本実施形態に係るマスク１の上部の部分拡大図である。
上部成形プレート１１は、図４に示されるように、本体部１０の内側に横幅方向に延設された袋状の上部プレート収容部１２内に収容されている。このため、この上部プレート収容部１２の配設位置により上述したような上部成形プレート１１の位置が決まることになる。
上部プレート収容部１２は、本体部１０の上縁１０ｕと上部成形プレート１１とを離間させている。本実施形態では、これは、上部プレート収容部１２の横幅方向に延びる下端部が本体部１０の内側に縫い付けられており、上部プレート収容部１２の上端部は縫い付けられていないことで実現されている。
これにより、上部成形プレート１１の幅方向が本体部１０の内側からユーザ側へ凸状に向くことになるため、眼鏡方向への呼気の抜けをより一層防ぐことができる。
なお、上部プレート収容部１２は、上部成形プレート１１の取り出し及び挿入を自在とするための収容口を有していてもよい。更に、上部プレート収容部１２は、面ファスナ等により本体部１０に対して着脱可能となるように構成されていてもよい。
【００２４】
下部成形プレート１３は、本体部１０の内布と外布との間に両者の縫い合わせにより形成された下部プレート収容部１４に収容されている。本実施形態では、下部成形プレート１３は二つのプレート体１３ｂであるため、左側の下部プレート収容部１４と右側の下部プレート収容部１４が別々に設けられている。左側の下部プレート収容部１４は、本体部１０の左縁部から横幅方向にそのプレート体１３ｂの長さのぶんだけ延設されており、右側の下部プレート収容部１４は、本体部１０の右縁部から横幅方向にそのプレート体１３ｂの長さのぶんだけ延設されている。
このような下部プレート収容部１４の配設位置により上述したような下部成形プレート１３の位置が決まることになる。
【００２５】
その他の構成として、各耳掛け部２０には、調節ストッパ２３Ｒ及び２３Ｌがそれぞれ設けられている。調節ストッパ２３Ｒ及び２３Lによれば、ユーザに合わせて、右耳紐部２１Ｒ及び左耳紐部２１Ｌの長さを調節することができる。但し、右耳紐部２１Ｒ及び左耳紐部２１Ｌの素材や長さを適切に設定して、調節ストッパ２３Ｒ及び２３Lを設けない構成としてもよい。
【００２６】
図５は、本実施形態に係るマスク１の折り畳み状態を示す図である。
下部成形プレート１３の二つのプレート体１３ｂの耳側端部１３Ｅとは反対の端部を境にして下方左右角部１０ｃを内側に折り曲げて、左側の下縁１０ｄと右側の下縁１０ｄとを合わせるようにすることで、図５に示されるように、本体部１０を概ね三角形状に折り畳むことができる。このとき、下部成形プレート１３が本体部１０の下縁１０ｄの中央部に設けられていないため、そこを境にして折り曲げ易くなっている。
このように本体部１０を折り畳んだ状態で、右耳紐部２１Ｒ及び右耳紐部２１Ｒをクロス掛けすることで、その折り畳んだ状態を保持することができ、携帯性を向上させることができる。
【００２７】
［変形例］
本実施形態に係るマスク１は、上述のような構成に限定されず、適宜変形可能である。
上述の構成では、下部成形プレート１３が二つのプレート体とされていたが、下部成形プレート１３は、本体部１０の下端部の中央部を跨いで横幅方向に延びる一つのプレート体とされてもよい。この場合には、下部成形プレート１３の耳側端部１３Ｅは、下部成形プレート１３の左右の端部となる。
このような構成であったとしても、着用時において下部成形プレート１３の耳側端部１３Ｅが上部成形プレート１１の耳側端部１１Ｅよりもユーザの耳に近い位置となれば、上述と同様の作用効果を得て、眼鏡の曇りを防ぐマスクを実現することができる。
【００２８】
また、上述の構成では、本体部１０の下縁１０ｄにはタック部が設けられていなかったが、本体部１０の下縁１０ｄに、二つ以上の下部タック部が設けられてもよい。
また、上述の構成では、本体部１０の下縁１０ｄには下部成形プレート１３が設けられていない余剰領域が設けられていたが、下部成形プレート１３を本体部１０の下縁１０ｄの近傍に延設されるようにしてこの余剰領域をなくしてもよい。この構成によれば、マスク１着用時の容姿がつり上がった印象となるが、眼鏡の曇りを防ぐ効果については変わらず得ることができる。
【００２９】
また、上述の構成では、本体部１０の上縁１０ｕと上部成形プレート１１とが離間するように上部プレート収容部１２の下端部が本体部１０の内側に縫い付けられ、その上端部が縫い付けられず解放されていたが、上部プレート収容部１２は、下部プレート収容部１４と同様に、本体部１０の内布と外布の間に設けられるようにしてもよい。この構成では、上述の構成と比較して、上方への呼気の抜け道がわずかに生じる可能性があるが、下方への呼気の排出口がしっかりと形成されるため、眼鏡方向への呼気の抜けを最小限にすることができる。
【００３０】
図６は、変形例に係るマスク１の開放状態の左端を内側から目視した部分拡大図である。
図６に示されるように、マスク１の本体部１０において、外布が内布よりも横幅方向に長くなるように裁断されており、外布の折り返し部１６を内側に折り返し可能に形成されていてもよい。
この場合、下部プレート収容部１４の左右端部には、図６に示されるように、下部成形プレート１３の取り出し及び挿入を自在とするための収容口１４ｋがそれぞれ設けられていてもよい。これにより、外布の折り返し部１６が内側に折り返されることで、下部プレート収容部１４の収容口１４ｋが閉鎖される。折り返し部１６の内側及び内布の左右端部には面ファスナ１６ｆがそれぞれ設けられており、面ファスナ１６ｆどうしが貼り付いて着用時の本体部１０の形状となるように構成されていてもよい。
【符号の説明】
【００３１】
１  マスク，１０  本体部，１０ｃ  下方左右角部，１０ｄ  本体部の下縁，１０ｕ  本体部の上縁，１１  上部成形プレート，１１Ｅ  上部成形プレートの耳側端部，１２  上部プレート収容部，１３  下部成形プレート，１３Ｅ  下部成形プレートの耳側端部，１４  下部プレート収容部，１４ｋ  収容口，１６  折り返し部，１６ｆ  面ファスナ，１８  中央タック部，２０  耳掛け部，２１Ｒ  右耳紐部，２１Ｌ  左耳紐部，２３Ｒ  調節ストッパ，２３Ｌ  調節ストッパ
【図１】
0003233245.tif 000003
【図２】
0003233245.tif 000004
【図３】
0003233245.tif 000005
【図４】
0003233245.tif 000006
【図５】
0003233245.tif 000007
【図６】
0003233245.tif 000008